(57)【要約】【課題】  従来、シーツをベッドに取り付ける際、ベッド面積に比べてシーツの面積が大きく作られているので、シーツの中央部分にベッドを位置決めすることが困難であり、また、シーツを折り畳むときに、相当の負担がかかるものであった。【解決手段】  ベッド等の上面に敷布を被せるとき、長方形状の敷布の長尺側と短尺側の中心線と、ベッド等の長尺側と短尺側の中心線とを一致させるために、敷布の長尺側および短尺側の中心線上に識別可能な目印を設けると共に、前記敷布の外形形状よりも小さな相似形の目印を設けた敷布としている。また、前記目印は、直線、破線、絵柄、模様またはこれらの組み合わせで、刺繍、織物または印刷で識別可能に作製されている。【選択図】          図１
0003139918.tif 000002
【実用新案登録請求の範囲】
【請求項１】
ベッドや敷布団の上面に敷布を被せるとき、長方形状の敷布の長尺側と短尺側の中心線と、ベッドや敷布団の長尺側と短尺側の中心線とを一致させやすいようにするために、敷布の長尺側および短尺側の中心線上に目視可能な目印を設けるとともに、前記敷布の外形形状よりも小さな相似形の目印を、敷布に設けたことを特徴とする敷布。
【請求項２】
前記目印は、識別可能に色別されており、刺繍、織物または印刷で作製されていることを特徴とする請求項１記載の敷布。
【請求項３】
前記目印は、直線、破線、絵柄、模様またはこれらの組み合わせであることを特徴とする請求項１または２記載の敷布。
【考案の詳細な説明】
【技術分野】
【０００１】
本考案は、一般の家庭、病院または介護施設等で使用される敷布であって、より詳しくは、効率的にベッドや敷布団に被せたり、折り畳みができる敷布に関するものである。
【背景技術】
【０００２】
一般の家庭、病院または介護施設等においては、ベッドや敷布団の上に敷布を被せて使用している。従来の敷布としては、ベッドや敷布団よりも相当大きく形成されたシーツがある。また、敷布団の大きさに合わせた大きさで４隅に敷布団への係止片を設けた敷布が市販されている（例えば、特許文献１参照）。
【特許文献１】実開平６−６１１７５号公報
【考案の開示】
【考案が解決しようとする課題】
【０００３】
ベッドや敷布団よりも相当大きく形成されたシーツをベッドに取り付ける際には、ベッド面積に比べてシーツの面積が相当大きく作られている為に、シーツの中央部分にベッドを位置決めすることが非常に困難であった。また、シーツを使用後に折りたたむときに、シーツが大きいため１人で行うには、相当の負担がかかるものであった。
【０００４】
また、特許文献１で開示されている敷きシーツは、シーツ本体の背面の各コーナー近辺に、隣接する二辺にまたがって斜めに架け渡されたゴムバンドの両端部をシーツ縁部で縫い込んで敷きシーツを形成したものである。これによれば、各コーナー近辺の弾性帯状体を敷布団のコーナー部に弾性による伸びを利用して嵌め込むだけで、簡単にしかも弾力でしっかりと取り付けることができるが、敷布団とほぼ同じサイズとする必要があり、敷布団を用いないベッドに、直接取付けることは難しいという問題点があった。
【０００５】
そこで、本考案は、簡単にベッドや敷布団に被せることができ、使用後には簡単に折り畳むことができる効率的な敷布を提供することを目的としている。
【課題を解決するための手段】
【０００６】
本考案の請求項１に係る敷布は、ベッドや敷布団の上面に敷布を被せるとき、敷布の長尺側と短尺側の中心線と、ベッドや敷布団の長尺側と短尺側の中心線とを一致させ易いようにするために、敷布の長尺側および短尺側の中心線上に目視可能な目印を設けるとともに、前記敷布の外形形状よりも小さな相似形の目印を、敷布に設けたことを特徴とする敷布としている。
【０００７】
このように構成された敷布を用いると、１人でも容易に敷布をベッドや敷布団に被せることができる。例えば、ベッドに本考案の敷布を被せる場合について説明すると、使用者は、敷布の長尺側または短尺側の中心線上に設けられた目印を手掛かりとして、ベッドの長尺側または短尺側の中心近傍に、前記敷布の中心線上に設けられた長尺側または短尺側の中心線上に設けられた目印を一致させるように載置する。次に、敷布に設けられた相似形の目印とベッド縁との間隔が、それぞれの相対する辺において、ほぼ同一となるように敷布の位置を調整する。この状態で、ベッド枠からはみ出した敷布部分の４辺を、ベッドのマットレスの下面に押し込めば、ベッドに敷布を被せることができる。
【０００８】
また、使用後の敷布をベッドから取り外して畳むときは、まず、敷布に設けられた長尺側または短尺側の中心線上に設けられた目印に沿って折り返し、次に、前記目印とは異なる目印（前者が長尺側であれば、後者は短尺側）に沿って折り返すと、ほぼ正確かつ効率的に敷布を四つ折りすることができる。その後は、所望により適宜な大きさまで折り畳めばよい。
【０００９】
本考案の請求項２に係る敷布では、前記目印は、識別可能なように色別されており、刺繍、織物または印刷で作製されていることを特徴とする敷布としている。例えば、長尺側または短尺側の中心線上に設けられた目印を茶色とすると、相似形に設けられた複数の目印はピンク、黄色にすれば、それぞれ目視により識別が可能となる。また、長尺側または短尺側の中心線上に設けられた目印についても、それぞれ色別（例えば、茶色と青色）すれば、長尺側または短尺側がより識別し易くなる。なお、目印に何色を用いるかは適宜選択することが可能である。このように色別すれば、目視により敷布のどの部分かが容易に判断できるので、敷布を被せるときや取り外しが容易に行なえる。
【００１０】
本考案の請求項３に係る敷布では、前記目印は、直線、破線、絵柄、模様またはこれらの組み合わせであることを特徴とする敷布としている。敷布の目印として直線又は破線の組み合わせで必要な機能は十分に有しているが、絵柄や模様を採用することや付加することで、使用者（特に、病人や子供など）に安らぎ等を与えることが可能となる。
【考案の効果】
【００１１】
本考案の敷布を用いれば、敷布の中心線上を示す目印が設けられているので、ベッドや敷布団に敷布を被せるとき、または折り畳んで収納するときに、目印を見ることで位置合わせや折り畳みが極めて容易となる。また、長尺側と短尺側とを識別できる目印とすれば、長尺側または短尺側の判別を容易に行うことができる。さらに、絵柄や模様を採用することや付加することで、使用者（特に、病人や子供など）に安らぎ等を与えることが可能となる。
【考案を実施するための最良の形態】
【００１２】
以下、本考案の実施形態を、図面に基づいて説明する。図１は、本考案の敷布の平面図である。図において、１は敷布、２は長尺側、３は短尺側、４、５は中心線上の目印、６，７は相似形状の目印である。敷布１は、天然または合成繊維等を素材としたもので、ベッドの面積より大きい長方形状に形成されている。敷布１の長尺側２および短尺側３の中心線上には、刺繍、織物または印刷により直線または破線による中心線上の目印４，５が設けられている。この目印４、５は使用者が目視で識別できるように色別されており、例えば、本実施形態では茶色に着色されている。また、中心線上の目印４、５は同色でもよいが色別（例えば、中心線上の目印４が茶色であれば、中心線上の目印５は青色とする等）することで、長尺側と短尺側を容易に判別することができる。
【００１３】
敷布１には、長方形に形成された敷布の外形形状よりも小さな相似形の目印６、７が複数個（本考案では２個）設けられている。相似形の目印６，７は、ベッドからはみ出した敷布部分が、相対する長尺側または相対する短尺側がほぼ等しくなっているかを判断する目印となる。したがって、相似形の目印６，７とベッド縁との相対する辺の間隔が、ほぼ同一となるように敷布の位置を調整した後、ベッド枠からはみ出した敷布部分の４辺を、ベッドのマットレスの下面に押し込めばよい。
【００１４】
相似形の目印６，７も、前記中心線上の目印と同様に、刺繍、織物または印刷に設けられている。この相似形の目印６，７も、使用者が目視で識別できるように色別されており、例えば、ピンクと黄色に着色されている。なお、目印に何色を用いるかは適宜選択することが可能である。このように色別しておくと、色を見れば敷布のどの部分かが容易に判断できるので、敷布の被せるとき、あるいは取り外しを容易に行うことができる。
【００１５】
中心線上の目印４，５および相似形状の目印６，７は、直線、破線、絵柄または模様あるいはこれらの組み合わせとすることができる。絵柄や模様を使用することにより使用者（特に、病人や子供など）に安らぎを与えることができる。
【００１６】
なお、本実施形態では、前記中心線上の目印４，５および相似形状の目印６，７は、連続的に設けているが、部分的（例えば、コーナー部分のみ、または断続的など）に設けてもよい。さらに、視覚障害者にも使用が可能なように、指先の感触で判別できるよう点字等を設けることも可能である。
【産業上の利用可能性】
【００１７】
本考案は、ベッドや敷布団に被せる敷布に適用することを主目的としているが、本考案はこれに限定されるものではなく、例えば、毛布類、タオルケット類など、様々な寝具に利用することが可能である。
【図面の簡単な説明】
【００１８】
【図１】本考案の敷布の平面図である。
【符号の説明】
【００１９】
１  敷布
２  長尺側
３  短尺側
４、５  中心線上の目印
６，７  相似形状の目印
【図１】
0003139918.tif 000003